(57)【要約】【課題】実施形態は、調色設定が容易かつ直感的にでき、かつシーン毎の複数の照明器具の調色設定の状態の確認が容易にできる照明制御装置を提供する。【解決手段】照明制御装置２は、カラー制御機能付きの複数の照明器具３の設置レイアウトに対応させて、複数の照明器具３の複数の図形３ａを、モニタ１２の画面上に表示すると共に、作成あるいは選択された色で、色インジケータ３５を画面上に重畳して表示する。照明制御装置２では、シーン別に、画面上に表示された複数の図形３ａの全て若しくは一部に、画面上に表示された色インジケータ３５の色が割り当てられ、さらに、シーン毎に、割り当てられた色で、複数の図形３ａのサムネイルを、複数の照明器具３の設置レイアウトに対応させて表示する。シーン別に、各図形３ａに割り当てられた色の情報は、記憶装置１４に記憶される。【選択図】図２
2014099289.tif 000002
【特許請求の範囲】
【請求項１】
カラー制御機能付きの複数の照明器具の設置レイアウトに対応させて、前記複数の照明器具の複数の図形を、表示装置の画面上に表示する照明器具レイアウト表示部と、
作成あるいは選択された色で、色インジケータを前記画面上に重畳して表示する色インジケータ表示部と、
シーン別に、前記画面上に表示された前記複数の図形の全て若しくは一部に、前記画面上に表示された前記色インジケータの色を割り当てる色割当て部と、
前記シーン毎に、前記色割当て部により割り当てられた色で、前記複数の図形のサムネイルを、前記複数の照明器具の前記設置レイアウトに対応させて表示するシーン別サムネイル表示部と、
前記シーン別に、前記色割当て部により各図形に割り当てられた色の情報を、記憶装置に記憶するシーン情報記憶部と、
を有する照明制御装置。
【請求項２】
前記色割当て部は、前記色インジケータが前記表示装置の前記画面上でドラッグ操作がされたときに前記色インジケータと重なった１以上の前記図形に、前記色インジケータの色を割り当てる請求項１に記載の照明制御装置。
【請求項３】
前記色インジケータ表示部は、前記色インジケータを、設定された明るさで表示し、
前記色割当て部は、前記画面上に表示された前記複数の図形に、前記画面上に表示された前記色インジケータの明るさを割り当て、
前記シーン情報記憶部は、前記複数の図形に割り当てられた明るさの情報を、前記記憶装置に記憶する請求項１又は２に記載の照明制御装置。
【請求項４】
前記画面上における選択により選択された図形に対応して所定のバー表示を表示し、その表示された前記所定のバー表示のバーの長さは変更可能であって、前記バーの長さに対応して、前記選択された図形の前記明るさを変更する明るさ変更部を有する請求項３に記載の照明制御装置。
【発明の詳細な説明】
【技術分野】
【０００１】
本発明の実施形態は、照明制御装置に関する。
【背景技術】
【０００２】
従来より、テレビスタジオ、劇場、ホール等に設置された複数の照明器具を制御する照明制御装置が、広く利用されている。  
例えば、テレビスタジオでは、収録番組のシーン毎に、舞台照明では、舞台のシーン毎に、各照明器具の調光レベルが設定される。照明制御装置は、その設定された調光レベルの情報を記憶し、記憶された情報に基づいてシーン毎に各照明器具の調光を行う。シーン毎の各照明器具の調光レベルの設定は、オペレータが実際の舞台の照明の状態を見ながら、照明制御装置の制御卓に設けられたフェーダ等を操作することによって行われる。
【０００３】
各照明器具は、所定の一色の照明光、例えばRGBのいずれかの色の照明光を出射する。そのため、シーン毎の調色は、RGBのいずれかの色の照明光を出射する複数の照明器具の調光レベルを設定することによって行われる。よって、ある照明領域が複数の照明器具の照明光により照明されているとき、各照明器具の調光レベルを調整することにより、その照明領域に所望の色の照明光を照射することができる。
【０００４】
最近では、このような調光の設定を行う調光制御卓における作業効率を向上させるために、タッチパネルを用いて、モニタ画面上で直感的に照明器具の選択操作を行うことができる調光制御装置も提案されている。  
また、近年は、照明光が単色ではない、調色可能な照明器具も実用化されている。
【０００５】
しかし、従来の照明制御装置では、シーン毎に、各照明器具の調光又は調色レベルを設定することによって、所望の色の照明光を作成するため、制御卓では、例えば、赤、緑又は青のそれぞれの出力レベルの値を複数の照明器具に設定しなければならず、調光と調色の設定作業は繁雑で、容易ではなかった。
【０００６】
さらに、オペレータは、シーン番号を指定して、各照明器具に設定した調光、調色レベルの情報で複数の照明器具を動作させることにより、光出力の状態を確認することができるが、その設定内容の確認は、各照明器具の調光、調色レベルの数値を表示装置の画面上に表示させることによって行われる。そのため、オペレータは、各照明器具の調光、調色レベルを、設定値の数値によってしか把握できないため、複数の照明装置の光出力の設定状態を確認することは容易ではなかった。
【先行技術文献】
【特許文献】
【０００７】
【特許文献１】特開２０１２−６９４２１号公報
【発明の概要】
【発明が解決しようとする課題】
【０００８】
そこで、実施形態は、調色設定が容易かつ直感的にでき、かつシーン毎の複数の照明器具の調色設定の状態の確認が容易にできる照明制御装置を提供することを目的とする。
【課題を解決するための手段】
【０００９】
実施形態によれば、カラー制御機能付きの複数の照明器具の設置レイアウトに対応させて、前記複数の照明器具の複数の図形を、表示装置の画面上に表示する照明器具レイアウト表示部と、作成あるいは選択された色で、色インジケータを前記画面上に重畳して表示する色インジケータ表示部と、シーン別に、前記画面上に表示された前記複数の図形の全て若しくは一部に、前記画面上に表示された前記色インジケータの色を割り当てる色割当て部と、前記シーン毎に、前記色割当て部により割り当てられた色で、前記複数の図形のサムネイルを、前記複数の照明器具の前記設置レイアウトに対応させて表示するシーン別サムネイル表示部と、前記シーン別に、前記色割当て部により各図形に割り当てられた色の情報を、記憶装置に記憶するシーン情報記憶部と、を有する照明制御装置が提供される。
【発明の効果】
【００１０】
実施形態によれば、調色設定が容易かつ直感的にでき、かつシーン毎の複数の照明器具の調色設定の状態の確認が容易にできる照明制御装置を提供することができる。
【図面の簡単な説明】
【００１１】
【図１】実施形態に係わる照明制御システムの構成図である。
【図２】実施形態に係わる、テレビスタジオの天井などに設置された複数の照明器具３の設置レイアウト図の例を示す図である。
【図３】実施形態に係わる、照明制御装置２の構成を示すブロック図である。
【図４】実施形態に係わる、各照明器具の調光レベル及び調色情報の設定処理の流れの例を示すフローチャートである。
【図５】実施形態に係わる設定画面の例を示す図である。
【図６】実施形態に係わる、照明器具の選択を説明するための設定画面の例を示す図である。
【図７】実施形態に係わる、照明器具の選択の他の例を説明するための設定画面の例を示す図である。
【図８】実施形態に係わる、明るさの個別設定を説明するための設定画面の例を示す図である。
【図９】実施形態に係わる、明るさの個別設定を説明するための設定画面の他の例を示す図である。
【図１０】実施形態に係わる、サムネイル画像がサムネイル表示部３３に追加された設定画面の例を示す図である。
【図１１】実施形態に係わる、３つのシーンサムネイルＳＮ１〜ＳＮ３が、サムネイル表示部３３に追加されている状態を示す設定画面の例を示す図である。
【図１２】実施形態に係わる、シーン別の再生処理の流れの例を示すフローチャートである
【図１３】実施形態に係わる、シーンサムネイルＳＮ２が選択された状態を示す設定画面の例を示す図である。
【発明を実施するための形態】
【００１２】
本実施形態の照明制御装置は、カラー制御機能付きの複数の照明器具の設置レイアウトに対応させて、前記複数の照明器具の複数の図形を、表示装置の画面上に表示する照明器具レイアウト表示部と、作成あるいは選択された色で、色インジケータを前記画面上に重畳して表示する色インジケータ表示部と、シーン別に、前記画面上に表示された前記複数の図形の全て若しくは一部に、前記画面上に表示された前記色インジケータの色を割り当てる色割当て部と、前記シーン毎に、前記色割当て部により割り当てられた色で、前記複数の図形のサムネイルを、前記複数の照明器具の前記設置レイアウトに対応させて表示するシーン別サムネイル表示部と、前記シーン別に、前記色割当て部により各図形に割り当てられた色の情報を、記憶装置に記憶するシーン情報記憶部と、を有する。
【００１３】
以下、図面を参照して実施形態を説明する。
【００１４】
（構成）
図１は、本実施形態に係わる照明制御システムの構成図である。照明制御システム１は、センタ装置としての照明制御装置２と、複数の照明器具３とを含み、照明制御装置２と複数の照明器具３は、通信ライン４により互いに接続されている。照明制御システム１は、テレビスタジオ、劇場、ホールなどに設置される。照明制御装置２は、各照明器具３のオンオフ制御、調光及び調色をすることができる。以下、照明制御システム１が、テレビスタジオの照明に用いられる例を説明する。
【００１５】
各照明器具３は、カラー制御機能付きの照明器具であり、ここでは、４色の色の照明光を出射する４種類の発光ダイオード（LED）、例えば、RGB（赤緑青）の３色にW（白）を加えた４色のための４種類のLEDを有する。すなわち、各照明器具３は、カラーLED器具であり、所望の色の照明光を照射することができる。さらに、各照明器具３は、信号ライン４に接続される信号受信部と、各LEDの点灯装置と、各LEDのPWM（パルス幅変調）信号を生成して出力して各LEDの点灯装置の出力を制御するマイクロコンピュータを含む制御部とを有している。
【００１６】
なお、ここでは、各照明器具３は、RGBWの色を用いた照明光を出射するが、白色とアンバー色等の他の色を用いた照明光を出射するものでもよい。  
各照明器具３は、ステージの天井などに取り付けられ、通信ライン４を介して受信した照明制御装置２からの制御信号に基づいて、４種類のLEDのそれぞれの発光レベルを制御する。
【００１７】
なお、図１では、各照明器具３への電源ラインは、省略されている。  
さらになお、ここでは、照明制御装置２は、複数の照明器具３とは、バス型の通信ライン４により接続されているが、照明制御装置２と複数の照明器具３の接続は、バス型以外の、リング型、スター型などの他の形式の信号ラインにより接続されていてもよい。
【００１８】
図２は、テレビスタジオの天井などに設置された複数の照明器具３の設置レイアウト図の例を示す図である。劇場、ホールでは、ステージ上のレイアウト図となる。図２は、平面図で示されている矩形のスタジオ５上の複数の照明器具３の設置レイアウトを示し、各照明器具３は、その取り付け位置に対応させて図形３ａで示されている。後述するように、照明制御装置２の表示装置の画面上には、図２に示す複数の照明器具の設置レイアウトの図が、表示される。  
そして、照明制御装置２において、各照明器具３と、設定画面上の照明器具の図形３ａとを対応付ける対応情報を有している。
【００１９】
照明制御装置２には、スタジオ５上で収録される番組等の各シーンに対応して、各照明器具３の照明光の明るさと色が設定される。後述するように、調光情報及び調色情報の設定は、照明制御装置２の表示装置に表示された設定画面上で行われる。
【００２０】
よって、照明制御装置２は、各図形３ａについて設定された調光情報及び調色情報と、照明器具３と図形３ａとの対応情報とに基づいて、各図形３ａに対応する照明器具３の調光（オンオフを含む）と調色を制御することができるようになっている。
【００２１】
なお、図２及び他の図では、照明制御装置２の表示装置の画面上において、各照明器具３は、単純な矩形の図形３ａで示されているが、各照明器具の形状に類似する形状を有する図形で示したり、照明器具の名称も併せて表示するようにしてもよい。
【００２２】
図３は、照明制御装置２の構成を示すブロック図である。  
照明制御装置２は、制御部１１と、表示装置としてのタッチパネル付きのモニタ１２と、信号ライン４に接続された信号出力部１３と、記憶装置１４を含んで構成されている制御卓である。また、照明制御装置２は、図示しない各種ボタンを含む入力装置も有しており、オペレータが種々のコマンドを入力できるようになっている。
【００２３】
制御部１１は、入力部２１、表示部２２、調光及び調色情報作成部２３、調光及び調色演算部２４、設定画面表示部２５及びシーン別サムネイル表示部２６を含んで構成されている。制御部１１内のこれらの機能部は、ハードウエアあるいはソフトウエアにより実現される。
【００２４】
制御部１１は、中央処理装置（ＣＰＵ）、ＲＯＭ及びＲＡＭを含み、操作部としてのタッチパネル付きのモニタ１２からの指示を受けると、その指示に対応するプログラムをＲＯＭあるいは記憶装置１４から読み出して実行することによって、その指示に対応する機能を実現する。
【００２５】
モニタ１２は、タッチパネル付きの表示装置であり、制御部１１において生成された画面を表示装置に表示すると共に、タッチパネルにおいて指定された位置情報を出力する。
【００２６】
入力部２１は、モニタ１２からの位置情報を入力し、モニタ１２の画面上の表示内容とその位置情報とから指示内容を解釈する処理部である。  
表示部２２は、モニタ１２への表示情報を生成して出力する処理部である。
【００２７】
調光及び調色情報作成部２３は、入力部２１からの情報に基づいて、指示された調光情報と調色情報を作成する処理部である。後述するように、オペレータが操作するタッチパネル上の操作位置情報に基づいて、調光情報と調色情報を作成して、記憶装置１４に記憶する処理部である。
【００２８】
調光及び調色演算部２４は、記憶装置１４に記憶されている各照明器具３の調光情報と調色情報に基づいて、画面上に表示する図形３ａの色と、各照明器具３への制御信号を演算して作成する処理部である。  
設定画面表示部２５は、記憶装置１４に記憶された設置レイアウトの図を含む設定画面を生成して出力する処理部である。設定画面表示部２５は、色インジケータ表示部２５ａを含む。色インジケータ表示部２５ａは、後述する色インジケータを、設定画面中に重畳表示する処理部である。
【００２９】
シーン別サムネイル表示部２６は、記憶装置１４に記憶された設置レイアウト図のサムネイルの画像を生成して出力する処理部である。  
信号出力部１３は、通信ライン４に各照明器具３への制御信号を出力するインターフェース回路である。
【００３０】
記憶装置１４は、フラッシュメモリ、あるいはハードディスク装置である。記憶装置１４には、設置レイアウト図の情報と、シーン毎の調光情報及び調色情報と、各シーンの継続時間の情報が記憶されている。すなわち、設置レイアウト図の情報と、シーン番号に対応する各シーンの、各照明器具３の調光情報及び調色情報と、継続時間とが、記憶装置１４に記憶される。
【００３１】
（動作）
まず、シーン毎の各照明器具３の明るさと色の設定について説明する。
【００３２】
図４は、各照明器具の調光レベル及び調色情報の設定処理の流れの例を示すフローチャートである。図４の処理は、制御部１１によって実行される。
【００３３】
オペレータが、入力装置の所定のボタン（図示せず）を操作することによって、図４のシーン毎の各照明器具３の明るさと色の設定処理が開始される。
【００３４】
まず、制御部１１は、その所定のボタンが押されると、記憶装置１４に記憶されている図２に示す設置レイアウト図の情報を読み出し、モニタ１２の画面上に、図５に示す設定画面を表示する（Ｓ１）。このＳ１の処理が、設定画面表示部２５に対応する。すなわち、このＳ１の処理が、カラー制御機能付きの複数の照明器具３の設置レイアウトに対応させて、複数の照明器具３の複数の図形３ａを、表示装置であるモニタ１２の画面上に表示する照明器具レイアウト表示部を構成する。
【００３５】
設定画面Ｇの構成について説明する。図５は、設定画面の例を示す図である。設定画面Ｇは、レイアウト表示部３１と、設定情報入力部３２と、サムネイル表示部３３と、操作指示部３４とを含む。  
レイアウト表示部３１は、記憶装置１４から読み出した設置レイアウト図の情報に基づいて、図２に示すスタジオやステージにおける複数の照明器具３の設置レイアウト図を表示する表示領域である。
【００３６】
初期の設定画面Ｇでは、レイアウト表示部３１には、図２に示すスタジオ全体のレイアウト図が表示される。オペレータは、図２の設置レイアウト図の中の、レイアウト表示部３１に表示させる範囲を、タッチパネルへの複数の指を広げたり狭めたりするピンチ操作、釦操作等の画面上の拡大、縮小機能により、変更し指定することができる。図５の場合、レイアウト表示部３１には、図２の点線で示す設置レイアウト図の領域RRが拡大されて表示されている。
【００３７】
さらに、レイアウト表示部３１には、作成あるいは選択された色で、かつ設定された明るさの色インジケータ３５が、円形のマークで表示されている。色インジケータ３５は、色インジケータ表示部２５ａによって、後述するように、設定情報入力部３２で設定された明るさで、かつ作成あるいは選択された色で、レイアウト表示部３１上に表示される。
【００３８】
なお、オペレータが画面上の色インジケータ３５を、指、ペン先などで触れながら移動させる、すなわちドラッグすると、色インジケータ３５は、そのドラッグ操作に沿って画面上を移動する。ドラッグ操作は、モニタ１２に設けられたタッチパネルに対して行われる操作である。よって、オペレータは、色インジケータ３５を、画面上でドラッグ操作により移動させることができる。  
なお、ここでは、色インジケータ３５は、円形のマークであるが、円形以外の矩形、三角形などでもよく、さらに種々の形状のアイコン、カーソルなどでもよい。  
よって、Ｓ１の処理は、設定された明るさと、作成あるいは選択された色とで、色インジケータ３５を画面上に重畳して表示する色インジケータ表示部２５ａを含む。すなわち、色インジケータ表示部２５ａは、色インジケータ３５を、設定された明るさと色で表示する。
【００３９】
設定情報入力部３２は、明るさを設定するための第１のバー表示部３２ａ、ＲＧＢＷの各色の明るさを設定するための第２のバー表示部３２ｂ、及び予め用意されている複数の色の中から１つを選択させるためのカラーパレット表示部３２ｃを含む。カラーパレット表示部３２ｃは、複数の色の矩形図形を含んでいる。
【００４０】
照明制御装置２のオペレータは、タッチパネル付きのモニタ１２の画面上のバー表示部３２ａを指などで触れながら、上方向に移動させると、バーが伸びて色インジケータ３５の明るさを強くし、逆に下方向に移動させると、バーが縮んで色インジケータ３５の明るさを弱くするようにして、色インジケータ３５の明るさを変更することができる。
【００４１】
さらに、オペレータは、タッチパネル付きのモニタ１２の画面上のバー表示部３２ｂの各色のバーを指あるいはペンなどで触れながら、上方向に移動させると、バーが伸びて色インジケータ３５におけるその触れているバーの色の明るさを強くし、逆に下方向に移動させると、バーが縮んで色インジケータ３５におけるその触れているバーの色の明るさを弱くするようにして、RGBWの各色の明るさを変更することができる。
【００４２】
よって、オペレータは、バー表示部３２ｂの各色のバーの長さを調整することによって、色インジケータ３５が所望の色になるように、色インジケータ３５の色を作成することができる。よって、色インジケータ３５は、画面上に表示される所定の色の複数のカラーバーを用いて作成された色で、表示される。
【００４３】
また、オペレータは、タッチパネル付きのモニタ１２の画面上のカラーパレット表示部３２ｃ中の矩形図形を触れて色を選択することによっても、色インジケータ３５の色を、その触れた矩形図形の色に変更することができる。よって、色インジケータ３５は、画面上に表示されたカラーパレット表示部３２ｃにおいて選択された色で、表示させることができる。
【００４４】
オペレータによりバー表示部３２ａにおいて変更された調光レベルは、色インジケータ３５に反映される。さらにオペレータによりバー表示部３２ｂにおいて変更されて作成された色、あるいはカラーパレット表示３２ｃの中から選択された色は、色インジケータ３５に反映される。
【００４５】
すなわち、色インジケータ３５の明るさと色は、オペレータが設定情報入力部３２において設定変更した明るさと色に、その変更操作に連動してリアルタイムで変化する。例えば、オペレータがバー表示部３２ａにおいて明るさのレベルを５０％にすれば、色インジケータ３５は、所定の最大レベルの半分の明るさ（すなわち輝度）で表示され、明るさのレベルを１００％にすれば、色インジケータ３５は、所定の最大レベルの明るさで表示され、調光レベルを０％にすれば、色インジケータ３５は、０レベルの明るさで表示される（すなわちオフとなる）。さらに、オペレータがバー表示部３２ｂにおいて各色のバーのレベルを変更して作成した色で、色インジケータ３５は表示され、あるいはカラーパレット表示部３２ｃの中から選択した色で、色インジケータ３５は表示される。  
よって、オペレータは、色インジケータ３５の状態を見ながら、作成あるいは選択された色と明るさの状態を変更することができる。
【００４６】
図５においてサムネイル表示部３３は、後述するサムネイル画像を表示するための領域である。
【００４７】
操作指示部３４は、各種コマンドのボタンを表示する領域である。例えば、ボタンの例として、操作指示部３４には、記憶ボタン３４ａ、再生ボタン３４ｂ、消去ボタン３４ｃ、連続再生ボタン３４ｄ、及び挿入ボタン３４ｅなどが表示されている。
【００４８】
なお、ここでは、記憶ボタン３４ａ、再生ボタン３４ｂ等の各ボタンは、文字が付加された矩形のマークで示されているが、文字等のない図形、アイコンなどで表示するようにしてもよい。
【００４９】
図４に戻り、Ｓ１により設定画面がモニタ１２に表示されると、オペレータは、上述した設定情報入力部３２を利用して、色インジケータ３５の明るさの変更と、色の作成あるいは選択とを行う。オペレータは、設定情報入力部３２の各バー表示部３２ａ、３２ｂ及びカラーパレット表示部３２ｃを操作して、上述したように、色インジケータ３５の明るさと色を設定する。よって、制御部１１は、明るさの設定と、色の作成（又は選択）の処理を実行する（Ｓ２）。
【００５０】
次に、オペレータは、色インジケータ３５に表示される明るさと色の照明光を出射する照明器具の指定を行う。よって、制御部１１は、照明器具の指定処理を実行する（Ｓ３）。
【００５１】
上述したように、オペレータは、色インジケータ３５を画面上でドラッグして移動させることができる。ドラッグ操作によりオペレータが、ある照明器具の図形３ａの位置に色インジケータ３５を移動させて、色インジケータ３５と図形３ａが一部でも重なると、その図形３ａは、色インジケータ３５の明るさと色で表示される。すなわち、色インジケータ３５のドラッグ操作により、色インジケータ３５の明るさと色の照明光を出射する照明器具３の指定が行われる。この時、照明器具が出射可能状態となっていても、照明光は、出射されない。  
なお、色インジケータ３５をドラッグしなくても、オペレータが、レイアウト表示部３１内の図形３ａを触れると、その触れた図形３ａが色インジケータ３５の明るさと色で表示されるようにしてもよい。
【００５２】
図６は、照明器具の選択を説明するための設定画面の例を示す図である。図６に示すように、色インジケータ３５が、点線Ｄ１で示すように、ドラッグされて、図形３ａ１に位置に移動することによって、図形３ａ１も色インジケータ３５と同じ明るさと色に設定し変更されている。
【００５３】
さらに、図６に示すように、色インジケータ３５を目的の照明器具３の１つの図形３ａの位置に移動させることによって、その１つの図形３ａを色インジケータ３５と同じ明るさと色に設定することができるだけでなく、色インジケータ３５を複数の図形３ａに触れるようにドラッグさせることによって、その触れられた複数の図形３ａに、色インジケータ３５と同じ明るさと色に設定し変更することができる。
【００５４】
図７は、照明器具の選択の他の例を説明するための設定画面の例を示す図である。図７に示すように、オペレータが、色インジケータ３５を点線Ｄ２で示すように、図形３ａ１の位置から図形３ａ４まで指Fでドラッグすることによって、図形３ａ１〜３ａ４は、色インジケータ３５と同じ明るさと色に変更されている。
【００５５】
すなわち、色割当て部を構成するＳ３では、色インジケータ３５がモニタ１２の画面上でドラッグ操作がされたときに色インジケータ３５と重なった１以上の図形３ａに、色インジケータ３５の明るさと色が割り当てられる。  
この方法は、１回のドラッグ操作により、同じ明るさと同じ色の設定を、複数の図形３ａに設定することができるので、便利である。
【００５６】
以上のように、Ｓ３の処理は、調光及び調色情報作成部２３において実行され、シーン別に、画面上に表示された複数の図形の全て若しくは一部に、画面上に表示された色インジケータ３５の色を割り当てる色割当て部を構成する。
【００５７】
さらに、オペレータは、図形３ａ１についての明るさを、タッチパネル付きのモニタ１２に触れることによって、個別に変更することができる。よって、制御部１１は、明るさの個別設定処理を実行する（Ｓ４）。
【００５８】
図８は、明るさの個別設定を説明するための設定画面の例を示す図である。例えば、オペレータが指Ｆで、明るさを変更したい画面上の図形３ａ１に触れると、図８に示すようなバー表示Ｂが表示される。点線の矢印で示すように、オペレータが図形３ａ１に画面に触れながら、指Ｆを上に移動させると、バー表示Ｂは伸び、指Fを下へ移動させるとバー表示Ｂは縮む。
【００５９】
バー表示Ｂが伸びると、色インジケータ３５の明るさが増し、バー表示Ｂが縮むと、色インジケータ３５の明るさが低下する。すなわち、バー表示Ｂを変化させることによって、色インジケータ３５の明るさ（すなわち輝度）を変更することができる。この時、選択した照明器具が出射可能状態となっていると、画面に連動して照明光が出射される。
【００６０】
オペレータが、照明器具３の図形３ａ１のバー表示Ｂを表示させて、図形３ａ１の明るさを変更した後、オペレータは、別の図形、例えば図形３ａ２に触れることによって、同様に、図形３ａ２についても輝度を変更することができる。図９は、明るさの個別設定を説明するための設定画面の他の例を示す図である。図９に示すように、オペレータは、図形３ａ２についても、図径３ａ１と同様に、明るさを調整することができる。
【００６１】
なお、Ｓ４の処理は、オペレータの指示により実行されるので、実行されない場合がある。
【００６２】
以上のように、Ｓ４の処理は、画面上で選択された図形に対応して所定のバー表示Ｂを重畳して表示し、その表示された所定のバー表示Ｂのバーの長さは変更可能であって、そのバーの長さに対応して、選択された図形の明るさを変更する個別明るさ変更部を構成する。
【００６３】
オペレータは、以上のＳ２からＳ４の処理を、操作指示部３４の記憶ボタン３４ａに触れる、すなわちオンにするまで行うことができる。よって、オペレータは、設置レイアウト図上の各照明器具３の図形３ａについて、明るさと色に関する設定を行うことができる。このＳ２〜Ｓ４の処理が、調光及び調色情報作成部２３に対応する。
【００６４】
制御部１１は、オペレータが記憶ボタン３４ａに触れて、記憶指示をしたか否かを判定し（Ｓ５）、記憶指示がされなければ（Ｓ５：ＮＯ）、処理は、Ｓ２に戻る。  
記憶指示がされると（Ｓ５：ＹＥＳ）、制御部１１は、レイアウト表示部３１に表示されている画面のサムネイル画像を生成して、シーン番号を付して、生成したシーンサムネイルの画像を、サムネイル表示部３３に追加表示する（Ｓ６）。制御部１１は、シーン番号を管理しており、新しいシーンについては、最大値のシーン番号を１つだけインクリメントして、シーン番号を付与する。このＳ６の処理が、シーン別サムネイル表示部２６に対応する。
【００６５】
図１０は、サムネイル画像がサムネイル表示部３３に追加された設定画面の例を示す図である。図１０に示すように、記憶ボタン３４ａが触れられる、すなわちオンされると、制御部１１は、レイアウト表示部３１に表示されている図形３ａを含む設置レイアウト図の全体のサムネイル画像を生成し、シーンサムネイルＳＮ１として、シーン番号３３ａ（ここではシーン１）と共に、サムネイル表示部３３に追加する。
【００６６】
シーンサムネイルＳＮ１中の各図形３ａは、設定された明るさと色で表示される。よって、オペレータは、シーンサムネイルＳＮ１の全体の明るさや色合いで、そのシーン１の設定状態を把握することができる。
【００６７】
すなわち、Ｓ６の処理は、シーン毎に、色割当て部により割り当てられた明るさと色で、複数の図形３ａのサムネイルを、複数の照明器具３の設置レイアウトに対応させて表示するシーン別サムネイル表示部２６を構成する。
【００６８】
そして、制御部１１は、レイアウト表示部３１において表示した各照明器具３の図形３ａ毎に、設定された明るさと色の情報を、シーン番号に対応させて、各照明器具３の設定情報（明るさと色の情報）として、記憶装置１４に記憶する（Ｓ７）。よって、Ｓ７の処理は、調光及び調色情報作成部２３において実行され、シーン別に、色割当て部により各図形３ａに割り当てられた明るさと色の情報を、記憶装置１４に記憶するシーン情報記憶部を構成する。
【００６９】
制御部１１は、オペレータにより、設定処理の終了を指示する操作、例えば入力装置の所定のボタン（図示せず）が操作されたか否かによって、設定処理の終了が指示されたか否かを判定する（Ｓ８）。
【００７０】
設定処理の終了が指示されなければ（Ｓ８：ＮＯ）、処理は、Ｓ１に戻り、オペレータは、次のシーンの設定処理を行うことができる。設定処理の終了が指示されると（Ｓ８：ＹＥＳ）、処理は、終了する。
【００７１】
従って、Ｓ１からＳ７の処理が繰り返されることにより、複数のシーン別サムネイル画像が生成され、シーン番号３３ａと共に、サムネイル表示部３３に追加される。図１１は、３つのシーンサムネイルＳＮ１〜ＳＮ３が、サムネイル表示部３３に追加されている状態を示す設定画面の例を示す図である。  
以上のようにして、オペレータは、シーン別の各照明装置３の明るさと色を容易かつ直感的に設定することができる。
【００７２】
次に、シーン再生処理について説明する。  
図１２は、シーン別の再生処理の流れの例を示すフローチャートである。図１２の処理は、制御部１１によって実行される。
【００７３】
オペレータが、入力装置の所定のボタン（図示せず）を操作することによって、図１２の処理が開始される。再生処理が指示されると、図１１のような設定画面Ｇが、モニタ１２に表示される。
【００７４】
まず、オペレータがモニタ１２上でサムネイル表示部３３に表示されている複数のシーンサムネイルの中から一つを選択すると、制御部１１は、その選択されたシーンサムネイルを特定する（Ｓ１１）。すなわち、制御部１１は、オペレータによって選択されたシーンサムネイルから、選択されたシーンを特定することができる。
【００７５】
図１３は、シーンサムネイルＳＮ２が選択された状態を示す設定画面の例を示す図である。選択されたシーンサムネイルＳＮ２には、太い枠ＦＦが重畳されて、選択されているシーンサムネイルが、オペレータにわかるようになっている。
【００７６】
制御部１１は、再生ボタン３４ｂがオンされたか否かを判定し（Ｓ１２）、オンされなければ（Ｓ１２：ＮＯ）、処理は、Ｓ１１へ戻る。再生ボタン３４ｂがオンされると（Ｓ１２：ＹＥＳ）、制御部１１は、記憶装置１４に記憶されているシーンサムネイルＳＮ２における各図形３ａの明るさ及び色の情報と、同時に記憶した明るさの変化の開始から終了までの変更時間を読み出して（Ｓ１３）、設定画面Ｇのレイアウト画面上で、設定されている明るさと色で各図形３ａの表示を開始する（Ｓ１４）。
【００７７】
同時に、制御部１１は、各図形３ａの明るさと色の情報に基づいて、各図形３ａに対応する各照明器具３への制御データを演算して求め、その制御データを、信号出力部１３から送信する（Ｓ１５）。
【００７８】
Ｓ１４とＳ１５では、調光及び調色演算部２４により、設定画面G上の表示データと、各照明器具３への制御データが生成される。表示データは、設定画面表示部２５へ出力されて、設定画面G上の各図形３ａは、表示データに含まれる明るさと色で表示される。制御データは、信号出力部１３へ出力され、各照明器具３へ送信され、各照明装置３は、受信した制御データに含まれる明るさと色の情報に基づいて照明光を出射する。各照明器具３が出射する照明光は、設定画面Ｇ上において対応する図形３ａと等しいあるいは類似の明るさと色となる。上述したように、各シーンの変更時間の情報も、シーンの情報として記憶装置１４に記憶されているので、再生時間は、その変更時間と等しい。
【００７９】
以上のように、Ｓ１５の処理は、選択されたシーンについて、記憶装置１４に記憶された複数の図形３ａの明るさと色の情報に基づいて、複数の照明器具３に制御信号を出力する制御信号出力部を構成する。
【００８０】
よって、オペレータは、舞台におけるその設定したシーンの照明の状態を見ながら、シーンの調光及び調色の状態を容易に確認することができる。  
また、オペレータが、連続再生ボタン３４ｄをオンにすると、最初のシーンからあるいは選択されているシーンから最後のシーンまで順番に、再生が行われる。
【００８１】
さらにまた、オペレータは、消去ボタン３４ｃをオンにすることによって、選択されているシーンサムネイルを消去することができる。さらに、オペレータは、挿入ボタン３４ｅをオンにすることによって、選択されているシーンの前（あるいは後でもよい）に、新たに設定したシーンサムネイルを挿入することができる。
【００８２】
すなわち、オペレータは、設定画面Ｇにおいて各照明装置に対応する図形３ａの明るさと色を設定することによって、シーン毎に各照明装置３の調光及び調色の情報として設定し、かつ設定画面Ｇにシーンサムネイルの表示の追加を行うことができる。さらに、オペレータは、シーンサムネイルを選択して、記憶装置１４に登録した各図形３ａの明るさと色の情報に基づいて各照明器具３を制御するように、再生あるいは連続再生することができる。
【００８３】
以上のように、上述した実施の形態によれば、調色設定が容易かつ直感的にでき、かつシーン毎の複数の照明器具の調色設定の状態の確認が容易にできる照明制御装置を提供することができる。
【００８４】
なお、以上の例では、照明器具３は、カラーLEDであるとして説明したが、照明器具３は、レーザダイオードを用いたカラー照明器具、有機ELを用いたカラー照明器具、ロール式カラーチェンジャーなどでもよい。
【００８５】
さらになお、上述した例では、タッチパネル付きのモニタ１２を利用して、オペレータがモニタ１２の画面上を触れることによって、指示をすることができるが、入力装置としてマウスやトラックボールなどを用いて、各種設定や選択を行うようにしてもよい。
【００８６】
以上本発明の実施形態を説明したが、この実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００８７】
１  照明制御システム、２  照明制御装置、３  照明器具、４  通信ライン、５  ステージ、１１  制御部、１２  モニタ、１３  信号出力部、１４  記憶装置、２１  入力部、２２  表示部、２３  調光及び調色情報作成部、２４  調光及び調色演算部、２５  設定画面表示部、２５ａ  色インジケータ表示部、２６  シーン別サムネイル表示部、３１  レイアウト表示部、３２  設定情報入力部、３２ａ、３２ｂ  バー表示部、３２ｃ  カラーパレット表示部、３３  サムネイル表示部、３４  操作指示部、３４ａ  記憶ボタン、３４ｂ  再生ボタン、３４ｃ  消去ボタン、３４ｄ  連続再生ボタン、３４ｅ  挿入ボタン、３５  色インジケータ。
【図１】
2014099289.tif 000003
【図２】
2014099289.tif 000004
【図３】
2014099289.tif 000005
【図４】
2014099289.tif 000006
【図５】
2014099289.tif 000007
【図６】
2014099289.tif 000008
【図７】
2014099289.tif 000009
【図８】
2014099289.tif 000010
【図９】
2014099289.tif 000011
【図１０】
2014099289.tif 000012
【図１１】
2014099289.tif 000013
【図１２】
2014099289.tif 000014
【図１３】
2014099289.tif 000015